(57)【要約】      （修正有）【課題】低背化構造が可能なカメラモジュールを提供する。【解決手段】カメラモジュール１１０は、光を集光するレンズ１２１からの光が通過する開口部を有し、レンズ１２１と光を光電変換する撮像素子１３６との間に、開口部を覆うように配置される支持部品１３２と赤外線をカットするＩＲＣＦ１３５とを配置する。また、ゴースト及びフレアを抑制するため、支持部品１３２のレンズ１２１と対向する側に、厚さ方向に傾斜する勾配部１３４が設けられる。【選択図】図２
2019148698.tif 000002
【特許請求の範囲】
【請求項１】
光を集光するレンズからの前記光が通過する開口部を有し、前記レンズと前記光を光電変換する撮像素子との間に、前記開口部を覆うように配置される光学部品を、前記撮像素子側に支持する支持部品を備え、
前記開口部の周囲には、前記支持部品の厚さ方向に傾斜する勾配部が設けられ、
前記支持部品は、前記勾配部の傾斜と前記レンズとが対向するように配置され、
前記レンズの、前記支持部品と対向する部分が、前記支持部品の、前記光学部品が配置される第１の面と反対側の第２の面より、前記第１の面側に配置される
ように構成されたカメラモジュール。
【請求項２】
前記勾配部は、前記レンズからの光の反射を制御する反射制御構造を有する
請求項１に記載のカメラモジュール。
【請求項３】
前記反射制御構造として、前記勾配部が、階段状になっている
請求項２に記載のカメラモジュール。
【請求項４】
前記レンズの光軸に対する前記勾配部の傾斜の角度が、前記レンズから前記勾配部の先端に入射する光の、前記光軸に対する角度より大きい
ように構成された請求項３に記載のカメラモジュール。
【請求項５】
前記反射制御構造として、前記勾配部に、光の反射を防止する反射防止膜が形成された
請求項２に記載のカメラモジュール。
【請求項６】
前記勾配部が、前記レンズの、前記支持部品と対向する部分の面の接線と並行する形状になっている
請求項１に記載のカメラモジュール。
【請求項７】
前記勾配部が、前記レンズの、前記支持部品と対向する部分の面と並行する形状になっている
請求項１に記載のカメラモジュール。
【請求項８】
前記支持部品の前記第１の面に、前記勾配部の先端から凹んだ溝が設けられた
請求項１に記載のカメラモジュール。
【請求項９】
前記光学部品が、前記支持部品の前記第１の面に、接着剤で接着された
請求項８に記載のカメラモジュール。
【請求項１０】
前記光学部品が、前記支持部品の前記第１の面に、熱可塑性樹脂又は熱硬化性樹脂で接着された
請求項１に記載のカメラモジュール。
【請求項１１】
前記光学部品は、IRCF(Infrared Cut-off Filter)である
請求項１に記載のカメラモジュール。
【発明の詳細な説明】
【技術分野】
【０００１】
本技術は、カメラモジュールに関し、特に、カメラモジュールを低背化することができるようにするカメラモジュールに関する。
【背景技術】
【０００２】
例えば、特許文献１には、カメラモジュールにおけるゴーストの発生を低減又は防止する技術が記載されている。
【先行技術文献】
【特許文献】
【０００３】
【特許文献１】特開２００６−２０８８６５号公報
【発明の概要】
【発明が解決しようとする課題】
【０００４】
特許文献１に記載のカメラモジュールでは、IRCF(Infra Red Cut-off Filter)を支持する支持部品に、レンズからの光を通過させるための開口部が設けられており、その開口部を通過した光が、撮像素子に入射する。
【０００５】
カメラモジュールでは、支持部品とレンズとが干渉しないように、支持部品とレンズとの距離を確保する必要がある。このため、レンズと撮像素子との距離を短くすることが困難であり、バックフォーカス（BF:Backfocus）が長いレンズが必要であった。さらに、カメラモジュールの低背化が困難であった。
【０００６】
本技術は、このような状況に鑑みてなされたものであり、カメラモジュールを低背化することができるようにするものである。
【課題を解決するための手段】
【０００７】
本技術のカメラモジュールは、光を集光するレンズからの前記光が通過する開口部を有し、前記レンズと前記光を光電変換する撮像素子との間に、前記開口部を覆うように配置される光学部品を、前記撮像素子側に支持する支持部品を備え、前記開口部の周囲には、前記支持部品の厚さ方向に傾斜する勾配部が設けられ、前記支持部品は、前記勾配部の傾斜と前記レンズとが対向するように配置され、前記レンズの、前記支持部品と対向する部分が、前記支持部品の、前記光学部品が配置される第１の面と反対側の第２の面より、前記第１の面側に配置されるように構成されたカメラモジュールである。
【０００８】
本技術のカメラモジュールにおいては、支持部品は、光を集光するレンズからの前記光が通過する開口部を有し、前記レンズと前記光を光電変換する撮像素子との間に、前記開口部を覆うように配置される光学部品を、前記撮像素子側に支持する。前記開口部の周囲には、前記支持部品の厚さ方向に傾斜する勾配部が設けられており、前記支持部品は、前記勾配部の傾斜と前記レンズとが対向するように配置されている。前記レンズの、前記支持部品と対向する部分は、前記支持部品の、前記光学部品が配置される第１の面と反対側の第２の面より、前記第１の面側に配置されている。
【発明の効果】
【０００９】
本技術によれば、カメラモジュールを低背化することができる。
【００１０】
なお、ここに記載された効果は必ずしも限定されるものではなく、本開示中に記載されたいずれかの効果であってもよい。
【図面の簡単な説明】
【００１１】
【図１】カメラモジュールの構成例を示す断面図である。
【図２】本技術を適用したカメラモジュールの第１の実施の形態の構成例を示す断面図である。
【図３】図２の撮像ユニット１３０の構成例を示す平面図である。
【図４】カメラモジュール１０とカメラモジュール１１０とを比較する断面図である。
【図５】勾配部１３４の第１の構成例を示す断面図である。
【図６】勾配部１３４の第１の構成例の傾斜を説明する断面図である。
【図７】勾配部１３４の第２の構成例を示す断面図である。
【図８】勾配部１３４の傾斜と、レンズ１２１との関係の例を説明する断面図である。
【図９】勾配部１３４の傾斜と、レンズ１２１との関係の他の例を説明する断面図である。
【図１０】勾配部１３４が連続的に傾斜する場合の、勾配部１３４の傾斜と、レンズ１２１との関係の例を説明する断面図である。
【図１１】勾配部１３４の第３の構成例を示す断面図である。
【図１２】勾配部１３４の第４の構成例を示す断面図である。
【図１３】接着剤として、黒色の熱可塑性樹脂又は熱硬化性樹脂が採用される場合の、支持部品１３２とIRCF１３５との接着例を示す断面図である。
【図１４】接着剤として、黒色の熱可塑性樹脂又は熱硬化性樹脂が採用される場合の、支持部品１３２とIRCF１３５との接着例を示す断面図である。
【図１５】本技術を適用したカメラモジュールの第２の実施の形態の構成例を示す断面図である。
【図１６】本技術を適用したカメラモジュールの第３の実施の形態の構成例を示す断面図である。
【図１７】本技術を適用したカメラモジュール１１０、２１０、及び、３１０を使用する使用例を示す図である。
【発明を実施するための形態】
【００１２】
＜カメラモジュールの構成例＞
【００１３】
図１は、カメラモジュールの構成例を示す断面図である。
【００１４】
図１に示されるカメラモジュール１０は、レンズユニット２０及び撮像ユニット３０を有する。
【００１５】
レンズユニット２０は、レンズ２１、鏡筒（バレル）２２、レンズホルダ２３、コイル２４、バネ２５、アクチュエータユニット２６、及び、マグネット２７を有する。撮像ユニット３０は、基板３１、支持部品３２、IRCF３５、撮像素子３６、及び、実装部品３８を有する。
【００１６】
レンズユニット２０において、レンズ２１は、鏡筒２２の内部に組み込まれ、鏡筒２２は、レンズホルダ２３に保持されている。レンズホルダ２３は、アクチュエータユニット２６内を図中の上下方向に移動することができるように、バネ２５によってアクチュエータユニット２６内に支持されている。レンズユニット２０では、レンズホルダ２３が上下方向に移動することで、フォーカスが調整される。本明細書のカメラモジュールの断面図はすべて、レンズ２１が最も下方向(撮像素子側)にある状態である「マクロメカ端時」の断面図である。
【００１７】
レンズホルダ２３の側面には、コイル２４が設けられている。アクチュエータユニット２６のコイル２４と対向する位置には、マグネット２７が設けられている。コイル２４に電流が流れると、マグネット２７により形成される磁界によって、コイル２４が設けられたレンズホルダ２３が、上下方向に移動し、すなわち、レンズ２１が光軸方向に移動し、フォーカスが調整される。
【００１８】
レンズユニット２０（のアクチュエータユニット２６）は、基板３１上に設けられた撮像素子３６の直上に、レンズ２１の光軸と、撮像素子３６の有効画素３７の中心とを合わせた状態で、支持部品３２上に接着剤２８で接着されている。
【００１９】
支持部品３２は、撮像素子３６（の有効画素３７）の直上部分に、レンズ２１からの光が通過する開口部３３を有する。開口部３３の周囲には、支持部品３２の厚さ方向に傾斜する勾配部３４が設けられており、支持部品３２は、勾配部３４の傾斜と撮像素子３６とが対向するように配置されている。
【００２０】
支持部品３２は、撮像素子３６から適切な高さにIRCF３５を固定することができる高さに構成され、接着剤４０で基板３１上に接着されている。
【００２１】
ここで、支持部品３２の開口部３３の、撮像素子３６と対向する側の部分を開口下部３３Ｄといい、支持部品３２の開口部３３の、レンズ２１と対向する側の部分を開口上部３３Ｕという。
【００２２】
IRCF３５は、支持部品３２の開口部３３を覆うように、支持部品３２の下側の面（撮像素子３６と対向する面）に接着剤等で接着されている。
【００２３】
撮像素子３６は、基板３１上に設けられ、金線（ワイヤ）３９により、基板３１と電気的に接続されている。
【００２４】
実装部品３８は、例えば、コンデンサ、抵抗、又は、IC(Integrated Circuit)等の電子部品などであり、基板３１上の所定の位置に配置され、電気的に接続されている。
【００２５】
以上のように構成されるカメラモジュール１０では、レンズ２１が光を集光し、その光が、開口部３３を通過し、さらに、IRCF３５を介して撮像素子３６に照射される。撮像素子３６では、有効画素３７において、撮像素子３６に照射される光が光電変換され、これにより、画像が撮像される。
【００２６】
カメラモジュール１０では、勾配部３４の傾斜が、撮像素子３６に対向するように設けられている。そして、カメラモジュール１０では、勾配部３４の（傾斜の）先端とレンズ２１とが干渉しないように、レンズ２１は、そのレンズ２１の（最）下部（支持部品３２と対向する部分）が、開口上部３３Ｕと同じか、やや上部の位置になるように配置されている。
【００２７】
カメラモジュール１０では、傾斜が撮像素子３６に対向するように設けられた勾配部３４の先端と干渉しないように、レンズ２１を配置する必要があり、レンズ２１を、開口上部３３Ｕより下の位置に下げることが困難である。そのため、カメラモジュール１０の低背化が困難である。
【００２８】
また、カメラモジュール１０では、勾配部３４の先端とレンズ２１（の下部）とが干渉することを防止するため、開口部３３の開口上部３３Ｕの大きさをある程度の大きさに形成する必要がある。そのため、支持部品３２に設けられる開口部３３の大きさを小さくすることが困難である。
【００２９】
これにより、カメラモジュール１０では、開口部３３を通過した、レンズ２１からの光が撮像素子３６の有効画素３７以外の部分、例えば、金線３９に入射し、入射した光が金線３９で反射して、金線３９での光の反射に起因するゴースト及びフレア（金線ゴースト及びフレア）が発生する可能性が高い。
【００３０】
さらに、カメラモジュール１０では、勾配部３４の傾斜が、撮像素子３６に対向するように設けられているので、必然的に、開口部３３の開口下部３３Ｄの大きさは開口上部３３Ｕの大きさより大きくなる。したがって、開口部３３を覆うように、支持部品３２の下側の面に配置されるIRCF３５の大きさが大きくなり、IRCF３５の大きさが大きくなる分だけ、カメラモジュール１０が高コスト化する。
【００３１】
＜第１の実施の形態＞
【００３２】
図２は、本技術を適用したカメラモジュールの第１の実施の形態の構成例を示す断面図である。
【００３３】
図２に示されるカメラモジュール１１０は、レンズユニット１２０及び撮像ユニット１３０を有する。
【００３４】
レンズユニット１２０は、レンズ１２１、鏡筒（バレル）１２２、レンズホルダ１２３、コイル１２４、バネ１２５、アクチュエータユニット１２６、及び、マグネット１２７を有する。撮像ユニット１３０は、基板１３１、支持部品１３２、IRCF１３５、撮像素子１３６、及び、実装部品１３８を有する。
【００３５】
ここで、レンズユニット１２０のレンズ１２１、鏡筒１２２、レンズホルダ１２３、コイル１２４、バネ１２５、アクチュエータユニット１２６、及び、マグネット１２７は、図１に示されるレンズユニット２０のレンズ２１、鏡筒２２、レンズホルダ２３、コイル２４、バネ２５、アクチュエータユニット２６、及び、マグネット２７にそれぞれ対応する。
【００３６】
また、撮像ユニット１３０の基板１３１、支持部品１３２、IRCF１３５、撮像素子１３６、及び、実装部品１３８は、図１に示される撮像ユニット３０の基板３１、支持部品３２、IRCF３５、撮像素子３６、及び、実装部品３８にそれぞれ対応する。
【００３７】
但し、支持部品１３２は、撮像素子１３６（の有効画素１３７）の直上部分に、レンズ１２１からの光が通過する開口部１３３を有する。開口部１３３の周囲には、支持部品１３２の厚さ方向に傾斜する勾配部１３４が設けられており、支持部品１３２は、勾配部１３４の傾斜とレンズ１２１とが対向するように配置されている。したがって、支持部品１３２は、勾配部１３４の傾斜がレンズ１２１と対向するように配置されている点で、勾配部３４の傾斜が撮像素子３６と対向するように配置されている支持部品３２と大きく異なる。
【００３８】
支持部品１３２は、撮像素子１３６から適切な高さにIRCF１３５を固定することができる高さに構成され、接着剤１４０で基板１３１上に接着されている。
【００３９】
図１のカメラモジュール１０では、支持部品３２の上側の面（レンズ２１と対向する面）側に、勾配部３４の先端が位置するのに対して、カメラモジュール１１０では、支持部品１３２の下側の面（第１の面）側に、勾配部１３４の先端が位置する。すなわち、カメラモジュール１１０では、勾配部１３４の先端が、カメラモジュール１０の勾配部３４の先端よりも下側に位置する。そのため、カメラモジュール１１０では、レンズ１２１を、カメラモジュール１０のレンズ２１よりも下側に配置することができる。
【００４０】
ここで、支持部品１３２の開口部１３３の、撮像素子１３６と対向する側の部分を開口下部１３３Ｄといい、支持部品１３２の開口部１３３の、レンズ１２１と対向する側の部分を開口上部１３３Ｕという。
【００４１】
カメラモジュール１１０では、傾斜がレンズ１２１と対向するように勾配部１３４が形成されているので、開口上部１３３Ｕを開口下部３３Ｄよりも小さく、かつ、開口下部１３３Ｄを開口上部３３Ｕよりも小さくすることにより、開口部１３３を開口部３３よりも小さく形成しても、開口上部１３３Ｕを開口上部３３Ｕより大きくすれば、レンズ１２１を、レンズ２１よりも下側に配置することができる。すなわち、カメラモジュール１１０では、レンズ１２１の下部（支持部品１３２と対向する部分）を、支持部品１３２の下側の面と反対側の上側の面（第２の面）より、下側の面側に配置することができる。図２では、レンズ１２１の下部が開口上部１３３Ｕ（第２の面）と開口下部１３３Ｄ（第１の面）との間に位置するように、レンズ１２１が配置されている。
【００４２】
なお、図２のカメラモジュール１１０が、IRCF１３５とは別に、赤外線をカットする機能を有する場合、IRCF１３５に代えて、例えば、透明カバーフィルム、又は、透明カバーガラス等の透明な板状の光学部品を採用し、その光学部品を支持部品１３２で支持することができる。
【００４３】
また、図２では、レンズホルダ１２３が上下方向に移動することで、フォーカスの調整を行うことができるが、レンズホルダ１２３は、上下方向に移動しないように、撮像ユニット１３０に固定することができる。この場合、バネ１２５、アクチュエータユニット１２６、及び、マグネット１２７を設けずに、カメラモジュール１１０を構成することができる。
【００４４】
図３は、図２の撮像ユニット１３０の構成例を示す平面図である。
【００４５】
図３に示されるように、上から見て略矩形の支持部品１３２の中央には、略矩形の開口部１３３が形成されている。開口部１３３の周囲には、支持部品１３２の厚さ方向に傾斜する勾配部１３４が設けられている。勾配部１３４の傾斜は、支持部品１３２の上側の面（レンズ１２１と対向する面）側に形成されている。支持部品１３２には、開口部１３３を覆う（塞ぐ）ようにIRCF１３５が、支持部品１３２の下側の面（撮像素子１３６と対向する面）に接着されることにより配置されている。
【００４６】
図４は、カメラモジュール１０とカメラモジュール１１０とを比較する断面図である。
【００４７】
カメラモジュール１１０では、勾配部１３４の先端がカメラモジュール１０の勾配部３４の先端よりも下側（撮像素子１３６側）に存在する。これにより、例えば、カメラモジュール１１０のレンズ１２１の位置が、カメラモジュール１０のレンズ２１の位置と同一の位置にある場合、勾配部３４の先端とレンズ２１との距離よりも、勾配部１３４の先端とレンズ１２１との距離が遠くなる。したがって、カメラモジュール１１０では、勾配部１３４の先端とレンズ１２１とが干渉する恐れが、カメラモジュール１０よりも少ない。
【００４８】
また、カメラモジュール１１０では、勾配部１３４の傾斜が支持部品１３２の上側の面（レンズ１２１と対向する面）側に形成されていることで、必然的に、開口部１３３の開口上部１３３Ｕの大きさは開口下部１３３Ｄの大きさＡ２より大きくなる。
【００４９】
仮に、カメラモジュール１０の開口上部３３Ｕの大きさＡ１とカメラモジュール１１０の開口上部１３３Ｕの大きさとが同一である場合、開口下部１３３Ｄの大きさＡ２は、開口上部１３３Ｕの大きさよりも小さいので、カメラモジュール１１０の開口下部１３３Ｄの大きさＡ２は、カメラモジュール１０の開口上部３３Ｕよりの大きさＡ１よりも小さくなる。したがって、カメラモジュール１１０の開口部１３３の大きさを、カメラモジュール１０の開口部３３の大きさよりも小さくすることができる。
【００５０】
また、IRCF３５及びIRCF１３５は、支持部品３２及び支持部品１３２の下側の面に、開口部３３及び開口部１３３を覆うようにそれぞれ配置されるので、カメラモジュール１０では、開口下部３３Ｄの大きさよりも大きい大きさＢ１のIRCF３５が必要となり、カメラモジュール１１０では、開口下部１３３Ｄの大きさＡ２よりも大きい大きさＢ２のIRCF１３５が必要となる。
【００５１】
カメラモジュール１０では、勾配部３４の傾斜が支持部品３２の下側の面（撮像素子３６と対向する面）側に形成されていることで、必然的に、開口部３３の開口下部３３Ｄの大きさは開口上部３３Ｕの大きさＡ１より大きくなる。
【００５２】
仮に、開口下部１３３Ｄの大きさＡ２と開口上部３３Ｕの大きさＡ１とが同一である場合、開口下部３３Ｄの大きさは、開口上部３３Ｕの大きさＡ１より大きいので、カメラモジュール１１０の開口下部１３３Ｄの大きさＡ２よりも大きい。すなわち、開口下部１３３Ｄの大きさＡ２は、開口下部３３Ｄの大きさよりも小さい。したがって、開口下部１３３Ｄを覆うように配置されるIRCF１３５の大きさＢ２は、開口下部３３Ｄを覆うように配置されるIRCF３５の大きさＢ１よりも小さくすることができる。
【００５３】
また、カメラモジュール１１０では、レンズ１２１がレンズ２１と同一の位置（高さ）に配置される場合、勾配部１３４の先端とレンズ１２１とが干渉する恐れが、カメラモジュール１０よりも少ないので、レンズ１２１を、レンズ２１よりも、撮像素子１３６側に下げた位置に配置することができる。この場合、カメラモジュール１１０のレンズユニット１２０の高さＣ２を、カメラモジュール１０のレンズユニット２０の高さＣ１よりも低くすることができ、その結果、レンズユニット１２０の全体の高さ（全高）を低くし、カメラモジュール１１０を低背化することができる。
【００５４】
ここで、レンズユニット１２０において、レンズ１２１の下側の部分、すなわち、レンズ１２１の支持部品１３２と対向する部分が、鏡筒１２２の下部から出ている場合、カメラモジュール１１０の低背化を、より効果的に実現することができる。
【００５５】
以上、カメラモジュール１１０の全体の構成について説明したが、以下では、カメラモジュール１１０の支持部品１３２の勾配部１３４の構成の詳細について説明する。
【００５６】
＜勾配部１３４の構成例＞
【００５７】
勾配部１３４は、レンズ１２１からの光の反射を制限する反射制御構造を有するように構成することができる。
【００５８】
図５は、勾配部１３４の第１の構成例を示す断面図である。
【００５９】
図５では、カメラモジュール１１０の勾配部１３４（の傾斜）は、反射制御構造としての階段状の構造に構成されている。
【００６０】
以上のように、勾配部１３４が階段状に構成されていることで、勾配部１３４が、連続的に（滑らかに）傾斜している場合よりも、レンズ１２１から勾配部１３４に入射する光の入射角が大きくなり、レンズ１２１から勾配部１３４に入射する光は、レンズ１２１の外側に向かって反射しやすくなる。したがって、勾配部１３４で反射した光が、レンズ１２１に戻る（向かって反射する）ことを抑制することができ、その結果、勾配部１３４で反射した光により発生するゴースト及びフレアを抑制することができる。
【００６１】
図６は、勾配部１３４の第１の構成例の傾斜を説明する断面図である。
【００６２】
勾配部１３４は、レンズ１２１の光軸に対する勾配部１３４の傾斜の角度が、レンズ１２１から勾配部１３４の先端に入射する光の、レンズ１２１の光軸に対する角度（光の入射角）より大きくなるように構成することができる。
【００６３】
図６では、レンズ１２１から勾配部１３４の先端に入射する光の入射角が、３８度になっており、レンズ１２１の光軸に対する勾配部１３４の傾斜の角度（以下、傾斜角ともいう）は、３８度よりも大きい６０度になっている。
【００６４】
以上のように、階段状に構成される勾配部１３４の傾斜角が、レンズ１２１から勾配部１３４の先端に入射する光の入射角より大きい場合、勾配部１３４の階段の蹴込み（立壁）部分（垂直部分）が低くなる。したがって、勾配部１３４の階段の踏板部分（水平部分）で反射した光が階段の蹴込み部分でさらに反射することを抑制することができる。これにより、レンズ１２１から勾配部１３４に入射した光が階段の蹴込み部分で反射することで発生する２次反射光によるゴースト及びフレアの発生を抑制することができる。
【００６５】
図７は、勾配部１３４の第２の構成例を示す断面図である。
【００６６】
図７では、カメラモジュール１１０の勾配部１３４は、反射制御構造として、光の反射を防止する反射防止膜が勾配部１３４の傾斜に形成された構造を有している。
【００６７】
反射防止膜は、例えば、反射防止剤の塗布、又は、反射防止シートの貼付等によって形成することができる。
【００６８】
以上のように、勾配部１３４に反射防止膜が形成されている場合、レンズ１２１から勾配部１３４に入射する光の反射を防止することができる。したがって、勾配部１３４で反射した光により発生するゴースト及びフレアを抑制することができる。
【００６９】
なお、図７では、勾配部１３４が連続的に傾斜しているが、勾配部１３４は、図５に示したように、階段状に構成し、その階段状の勾配部１３４に、反射防止膜を形成することができる。
【００７０】
図８は、勾配部１３４の傾斜と、レンズ１２１との関係の例を説明する断面図である。
【００７１】
勾配部１３４の傾斜は、断面視で、レンズ１２１の下側の部分（支持部品１３２と対向する部分）の面の接線と略並行する、直線状の形状に構成することができる。
【００７２】
以上のように、勾配部１３４の傾斜を、レンズ１２１の下側の部分の面の接線と略並行する形状に構成する場合、レンズ１２１をさらに下側（撮像素子１３６側）に配置することができる。これにより、レンズユニット１２０の全高をさらに低くすることができ、その結果、カメラモジュール１１０をさらに低背化することができる。
【００７３】
なお、図８では、勾配部１３４が階段状に構成されているが、勾配部１３４は、例えば、図７に示したように、連続的に傾斜するように構成することができる。
【００７４】
図９は、勾配部１３４の傾斜と、レンズ１２１との関係の他の例を説明する断面図である。
【００７５】
勾配部１３４の傾斜は、断面視で、レンズ１２１の下側の部分（支持部品１３２と対向する部分）の面と略並行する、曲線状の形状（非線形の形状）に構成することができる。
【００７６】
以上のように、勾配部１３４の傾斜を、レンズ１２１の下側の部分の面と略並行する形状に構成する場合、レンズ１２１をさらに下側に配置することができる。これにより、レンズユニット１２０の全高をさらに低くすることができ、その結果、カメラモジュール１１０をさらに低背化することができる。
【００７７】
なお、図９では、勾配部１３４は、階段状に構成されているが、勾配部１３４は、例えば、図７に示したように、連続的に傾斜するように構成することができる。
【００７８】
図１０は、勾配部１３４が連続的に傾斜する場合の、勾配部１３４の傾斜と、レンズ１２１との関係の例を説明する断面図である。
【００７９】
図１０では、勾配部１３４は、連続的に傾斜するように構成され、勾配部１３４の傾斜は、断面視で、レンズ１２１の下側の部分（支持部品１３２と対向する部分）の面と略並行する、曲線状の形状に構成されている。また、図１０では、勾配部１３４に、反射防止膜が形成されている。
【００８０】
以上のように、勾配部１３４の傾斜を、レンズ１２１の下側の部分の面と略並行する形状に構成する場合、レンズ１２１をさらに下側に配置することができる。これにより、レンズユニット１２０の全高をさらに低くすることができ、その結果、カメラモジュール１１０をさらに低背化することができる。
【００８１】
図１１は、勾配部１３４の第３の構成例を示す断面図である。
【００８２】
図１１において、勾配部１３４は、図５と同様に階段状に構成されている。
【００８３】
さらに、図１１では、勾配部１３４には、支持部品１３２の下側の面側に、勾配部１３４の先端から凹んだ溝である樹脂溜まり部１５０が設けられている。
【００８４】
IRCF１３５は、支持部品１３２の下側の面に所定の接着幅Ｗで接着される。IRCF１３５を接着するための接着剤としては、例えば、UV(Ultra Violet)接着剤等の樹脂を採用することができる。
【００８５】
以上のように、勾配部１３４に樹脂溜まり部１５０が設けられている場合、IRCF１３５が支持部品１３２の下側の面にUV接着剤で接着されたときに、IRCF１３５の、樹脂溜まり部１５０側にはみ出したUV接着剤を、樹脂溜まり部１５０に溜めることができる。したがって、UV接着剤が、支持部品１３２の勾配部１３４の先端よりはみ出すことを防止することができる。
【００８６】
これにより、UV接着剤が、支持部品１３２の勾配部１３４の先端よりはみ出した場合に、そのはみ出したUV接着剤でレンズ１２１からの光が反射すること、並びに、そのUV接着剤で反射した光により発生するゴースト及びフレアを抑制することができる。
【００８７】
図１２は、勾配部１３４の第４の構成例を示す断面図である。
【００８８】
なお、図中、図１１と対応する部分については同一の符号を付してあり、以下では、その説明については適宜省略する。
【００８９】
図１２の勾配部１３４は、傾斜が連続的に構成され、反射防止膜が形成されている点を除き、傾斜が階段状に構成される図１１の場合と同様に構成される。
【００９０】
したがって、図１２でも、図１１の場合と同様に、UV接着剤で光が反射することにより発生するゴースト及びフレアを抑制することができる。
【００９１】
IRCF１３５を、支持部品１３２に接着する接着剤としては、UV接着剤の他、熱可塑性樹脂又は熱硬化性樹脂を採用することができる。接着剤としての熱可塑性樹脂又は熱硬化性樹脂としては、黒色の熱可塑性樹脂又は熱硬化性樹脂を採用することができる。
【００９２】
IRCF１３５を、支持部品１３２に接着する接着剤として、黒色の熱可塑性樹脂又は熱硬化性樹脂を採用する場合には、支持部品１３２とIRCF１３５との接着部分からはみ出した熱可塑性樹脂又は熱硬化性樹脂での、レンズ１２１からの光の反射が防止されるため、図１１及び図１２のように、勾配部１３４の先端に、樹脂溜まり部１５０を設ける必要は、必ずしもない。
【００９３】
すなわち、IRCF１３５を支持部品１３２に接着する接着剤として、黒色の熱可塑性樹脂又は熱硬化性樹脂を採用する場合、勾配部１３４は、樹脂溜まり部１５０を設けずに構成することができる。
【００９４】
図１３及び図１４は、接着剤として、黒色の熱可塑性樹脂又は熱硬化性樹脂が採用される場合の、支持部品１３２とIRCF１３５との接着例を示す断面図である。
【００９５】
接着剤として、黒色の熱可塑性樹脂又は熱硬化性樹脂が採用される場合には、勾配部１３４の先端に樹脂溜まり部１５０を設けずに支持部品１３２を構成し、その支持部品１３２とIRCF１３５とを接着することができる。
【００９６】
なお、図１３では、勾配部１３４は、階段状に構成されており、図１４では、勾配部１３４の傾斜が連続的に構成され、その傾斜には、反射防止膜が形成されている。
【００９７】
IRCF１３５が、支持部品１３２の下側の面に黒色の熱可塑性樹脂又は熱硬化性樹脂で接着される場合、その黒色の熱可塑性樹脂又は熱硬化性樹脂が、支持部品１３２の勾配部１３４の先端よりはみ出しても、はみ出した黒色の熱可塑性樹脂又は熱硬化性樹脂にレンズ１２１からの光が入射したときに、その光の反射を防止することができる。したがって、図１１及び図１２で示した樹脂溜まり部１５０を設けることなく、はみ出した黒色の熱可塑性樹脂又は熱硬化性樹脂にレンズ１２１からの光が反射することで発生するゴースト及びフレアを抑制することができる。
【００９８】
また、樹脂溜まり部１５０を設けない場合、樹脂溜まり部１５０を設ける場合に比較して、IRCF１３５の接着幅Ｗを長く確保することができる。したがって、樹脂溜まり部１５０を設けない場合において、樹脂溜まり部１５０を設ける場合と同一の接着幅Ｗを確保するときには、IRCF１３５の大きさを小さくすることができる。
【００９９】
なお、接着剤として、黒色の熱可塑性樹脂又は熱硬化性樹脂が採用される場合であっても、樹脂たまり部１５０を設けることができる。
【０１００】
以上のように、カメラモジュール１１０において、支持部品１３２を、勾配部１３４の傾斜とレンズ１２１とが対向するように配置することで、レンズ１２１を、カメラモジュール１０のレンズ２１と同一の位置（高さ）に配置した場合には、勾配部１３４の先端がカメラモジュール１０の勾配部３４の先端よりも下側（撮像素子１３６側）に存在するので、勾配部１３４の先端とレンズ１２１の下側の部分との距離が遠くなり、勾配部１３４の先端とレンズ１２１の下側の部分とが干渉しにくくなる。したがって、カメラモジュール１１０によれば、カメラモジュール１０よりも、レンズ１２１を配置する位置の物理的制約が緩くなる。
【０１０１】
これにより、カメラモジュール１１０では、レンズ１２１を下側（撮像素子１３６側）に配置することができ、レンズ１２１と撮像素子１３６との距離を短くすることができる。したがって、レンズ１２１として、BFが短いレンズを採用することができる。また、レンズ１２１の設計の自由度を向上することができ、レンズ１２１として、特性（性能）の良いレンズを設計して、採用することができる。
【０１０２】
さらに、レンズ１２１の全高を低くすることや、カメラモジュール１１０を低背化することができる。
【０１０３】
なお、カメラモジュール１１０の低背化に代えて、その低背化の分をレンズの設計の自由度に充てて、レンズ１２１の性能を向上させることができる。
【０１０４】
また、カメラモジュール１１０では、開口部１３３の大きさを小さくすること、すなわち、カメラモジュール１１０では、開口下部１３３Ｄの大きさを、カメラモジュール１０の開口下部３３Ｄの大きさよりも小さくすることができる。したがって、開口部１３３（の開口下部１３３Ｄ）を覆うように配置されるIRCF１３５の大きさを、開口部３３（の開口下部３３Ｄ）を覆うように配置されるIRCF３５の大きさよりも小さくすることができ、その結果、IRCF１３５のコストを削減することができる。
【０１０５】
さらに、カメラモジュール１１０では、開口部１３３の大きさを小さくすることができるので、開口部１３３を通過したレンズ１２１からの光が、金線１３９や図示せぬ電極パッド等の、撮像素子１３６の有効画素１３７の外側に入射することを抑制することができる。その結果、レンズ１２１からの光が撮像素子１３６の有効画素１３７の外側で反射することにより生じる迷光を抑制し、かかる迷光によるゴースト及びフレアを低減することができる。
【０１０６】
＜第２の実施の形態＞
【０１０７】
図１５は、本技術を適用したカメラモジュールの第２の実施の形態の構成例を示す断面図である。
【０１０８】
なお、図中、図２と対応する部分については同一の符号を付してあり、以下では、その説明については適宜省略する。
【０１０９】
図１５に示されるカメラモジュール２１０は、レンズユニット１２０及び撮像ユニット２３０を有する。
【０１１０】
したがって、カメラモジュール２１０は、レンズユニット１２０を有する点で、図２のカメラモジュール１１０と共通する。
【０１１１】
但し、カメラモジュール２１０は、撮像ユニット１３０に代えて、撮像ユニット２３０が設けられている点で、カメラモジュール１１０と相違する。
【０１１２】
撮像ユニット２３０は、基板１３１、支持部品１３２、IRCF１３５、実装部品１３８、及び、撮像素子２３６を有する。
【０１１３】
したがって、撮像ユニット２３０は、基板１３１、支持部品１３２、IRCF１３５、及び、実装部品１３８を有する点で、図２の撮像ユニット１３０と共通する。
【０１１４】
但し、撮像ユニット２３０は、撮像素子１３６に代えて、撮像素子２３６が設けられている点で、撮像ユニット１３０と相違する。
【０１１５】
撮像素子２３６は、WLCSP(Wafer Level Chip Size Package)と呼ばれる半導体装置であり、光を受光する受光面側（上側）に保護ガラス２４０が設けられている。
【０１１６】
WLCSPである撮像素子２３６には、外部との電気的な接点として、はんだボール２３９が設けられている。撮像素子２３６は、フリップチップボンディングにより基板１３１に実装され、はんだボール２３９を介して、基板１３１と電気的に接続される。
【０１１７】
カメラモジュール２１０では、WLCSPである撮像素子２３６の上側に設けられている保護ガラス２４０の側面で、開口部１３３を通過した光が反射することによるゴーストやフレアが生じ得る。但し、カメラモジュール２１０では、開口部１３３の大きさを小さくすることができるので、保護ガラス２４０の側面で光が反射すること、すなわち、保護ガラス２４０の側面に光が入射することを抑制し、保護ガラス２４０の側面での光の反射に起因するゴースト及びフレアを抑制することができる。
【０１１８】
＜第３の実施の形態＞
【０１１９】
図１６は、本技術を適用したカメラモジュールの第３の実施の形態の構成例を示す断面図である。
【０１２０】
なお、図中、図１５と対応する部分については同一の符号を付してあり、以下では、その説明については適宜省略する。
【０１２１】
図１６に示されるカメラモジュール３１０は、レンズユニット１２０及び撮像ユニット３３０を有する。
【０１２２】
したがって、カメラモジュール３１０は、レンズユニット１２０を有する点で、図１５のカメラモジュール２１０と共通する。
【０１２３】
但し、カメラモジュール３１０は、撮像ユニット２３０に代えて、撮像ユニット３３０が設けられている点で、カメラモジュール２１０と相違する。
【０１２４】
撮像ユニット３３０は、基板１３１、支持部品１３２、IRCF１３５、実装部品１３８、撮像素子２３６、及び、WLL(Wafer Level Lens)４００を有する。
【０１２５】
したがって、撮像ユニット３３０は、基板１３１、支持部品１３２、IRCF１３５、実装部品１３８、及び、撮像素子２３６を有する点で、図１５の撮像ユニット２３０と共通する。
【０１２６】
但し、撮像ユニット３３０は、WLL４００が新たに設けられている点で、WLL４００を有していない撮像ユニット２３０と相違する。
【０１２７】
WLL４００は、撮像素子２３６（の上側に設けられている保護ガラス２４０）の上部に設けられている。
【０１２８】
WLLが設けられたWLCSPは、WLLCSP(Wafer Level Lens Chip Size Package)と呼ばれる。したがって、WLL４００が設けられた撮像素子２３６は、WLLCSPである。
【０１２９】
カメラモジュール３１０では、WLLCSPを構成する保護ガラス２４０の側面やWLL４００の側面で、開口部１３３を通過した光が反射することによるゴーストやフレアが生じ得る。但し、カメラモジュール３１０では、開口部１３３の大きさを小さくすることができるので、保護ガラス２４０の側面やWLL４００の側面で光が反射すること、すなわち、保護ガラス２４０やWLL４００の側面に光が入射することを抑制し、保護ガラス２４０の側面やWLL４００の側面での光の反射に起因するゴースト及びフレアを抑制することができる。
【０１３０】
＜カメラモジュールの使用例＞
【０１３１】
図１７は、本技術を適用したカメラモジュール１１０、２１０、及び、３１０を使用する使用例を示す図である。
【０１３２】
カメラモジュール１１０は、例えば、以下のように、可視光や、赤外光、紫外光、X線等の光をセンシングする様々な電子機器に使用することができる。図１５のカメラモジュール２１０及び図１６のカメラモジュール３１０についても同様である。
【０１３３】
・ディジタルカメラや、カメラ機能付きの携帯機器等の、鑑賞の用に供される画像を撮影する電子機器
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される電子機器
・ユーザのジェスチャを撮影して、そのジェスチャに従った機器操作を行うために、TVや、冷蔵庫、エアーコンディショナ等の家電に供される電子機器
・内視鏡や、電子顕微鏡、赤外光の受光による血管撮影を行う装置等の、医療やヘルスケアの用に供される電子機器
・防犯用途の監視カメラや、人物認証用途のカメラ等の、セキュリティの用に供される電子機器
・肌を撮影する肌測定器や、頭皮を撮影するマイクロスコープ等の、美容の用に供される電子機器
・スポーツ用途等向けのアクションカメラやウェアラブルカメラ等の、スポーツの用に供される電子機器
・畑や作物の状態を監視するためのカメラ等の、農業の用に供される電子機器
【０１３４】
本技術の実施の形態は、上述した実施の形態に限定されるものではなく、本技術の要旨を逸脱しない範囲において種々の変更が可能である。
【０１３５】
なお、本明細書に記載された効果はあくまで例示であって限定されるものではなく、本明細書に記載されたもの以外に効果があってもよい。
＜その他＞
本技術は、以下のような構成をとることができる。
（１）
光を集光するレンズからの前記光が通過する開口部を有し、前記レンズと前記光を光電変換する撮像素子との間に、前記開口部を覆うように配置される光学部品を、前記撮像素子側に支持する支持部品を備え、
前記開口部の周囲には、前記支持部品の厚さ方向に傾斜する勾配部が設けられ、
前記支持部品は、前記勾配部の傾斜と前記レンズとが対向するように配置され、
前記レンズの、前記支持部品と対向する部分が、前記支持部品の、前記光学部品が配置される第１の面と反対側の第２の面より、前記第１の面側に配置される
ように構成されたカメラモジュール。
（２）
前記勾配部は、前記レンズからの光の反射を制御する反射制御構造を有する
（１）に記載のカメラモジュール。
（３）
前記反射制御構造として、前記勾配部が、階段状になっている
（２）に記載のカメラモジュール。
（４）
前記レンズの光軸に対する前記勾配部の傾斜の角度が、前記レンズから前記勾配部の先端に入射する光の、前記光軸に対する角度より大きい
ように構成された（３）に記載のカメラモジュール。
（５）
前記反射制御構造として、前記勾配部に、光の反射を防止する反射防止膜が形成された
（２）に記載のカメラモジュール。
（６）
前記勾配部が、前記レンズの、前記支持部品と対向する部分の面の接線と並行する形状になっている
（１）ないし（５）のいずれかに記載のカメラモジュール。
（７）
前記勾配部が、前記レンズの、前記支持部品と対向する部分の面と並行する形状になっている
（１）ないし（５）のいずれかに記載のカメラモジュール。
（８）
前記支持部品の前記第１の面に、前記勾配部の先端から凹んだ溝が設けられた
（１）ないし（７）のいずれかに記載のカメラモジュール。
（９）
前記光学部品が、前記支持部品の前記第１の面に、接着剤で接着された
（８）に記載のカメラモジュール。
（１０）
前記光学部品が、前記支持部品の前記第１の面に、熱可塑性樹脂又は熱硬化性樹脂で接着された
（１）ないし（９）のいずれかに記載のカメラモジュール。
（１１）
前記光学部品は、IRCF(Infrared Cut-off Filter)である
（１）ないし（１０）のいずれかに記載のカメラモジュール。
【符号の説明】
【０１３６】
１０  カメラモジュール，  ２０  レンズユニット，  ２１  レンズ，  ２２  鏡筒，  ２３  レンズホルダ，  ２４  コイル，  ２５  バネ，  ２６  アクチュエータユニット，  ２７  マグネット，  ２８  接着剤，  ３０  撮像ユニット，  ３１  基板，  ３２  支持部品，  ３３  開口部，  ３３Ｕ  開口上部，  ３３Ｄ  開口下部，  ３４  勾配部，  ３５  IRCF，  ３６  撮像素子，  ３７  有効画素，  ３８  実装部品，  ３９  金線，  ４０  接着剤，  １１０  カメラモジュール，  １２０  レンズユニット，  １２１  レンズ，  １２２  鏡筒，  １２３  レンズホルダ，  １２４  コイル，  １２５  バネ，  １２６  アクチュエータユニット，  １２７  マグネット，  １２８  接着剤，  １３０  撮像ユニット，  １３１  基板，  １３２  支持部品，  １３３  開口部，  １３３Ｕ  開口上部，  １３３Ｄ  開口下部，  １３４  勾配部，  １３５  IRCF，  １３６  撮像素子，  １３７  有効画素，  １３８  実装部品，  １３９  金線，  １４０  接着剤，  １５０  樹脂溜まり部，  ２１０  カメラモジュール，  ２３０  撮像ユニット，  ２３６  撮像素子，  ２３９  はんだボール，  ２４０  保護ガラス，  ３１０  カメラモジュール，  ４００  WLL
【図１】
2019148698.tif 000003
【図２】
2019148698.tif 000004
【図３】
2019148698.tif 000005
【図４】
2019148698.tif 000006
【図５】
2019148698.tif 000007
【図６】
2019148698.tif 000008
【図７】
2019148698.tif 000009
【図８】
2019148698.tif 000010
【図９】
2019148698.tif 000011
【図１０】
2019148698.tif 000012
【図１１】
2019148698.tif 000013
【図１２】
2019148698.tif 000014
【図１３】
2019148698.tif 000015
【図１４】
2019148698.tif 000016
【図１５】
2019148698.tif 000017
【図１６】
2019148698.tif 000018
【図１７】
2019148698.tif 000019